(57)【要約】  本発明はエコー機能を有するリモコンに関する。より詳細には、音響再生機器用リモコン装置にエコー機能を追加して、使用者の音声と、音響再生機器から流入する外部音とともに、エコーを聞くことができるエコー機能を有するリモコン装置に関するものである。本発明は、イヤホンやヘッドセットのリモコンにエコーを発生させるために、入力された音声信号を増幅および循環させるエコーＩＣ ５１を有するエコー回路部５０と、エコー回路部５０を駆動させるエコーボリュームスイッチ５２をさらに含み、前記エコー回路部５０は、前記マイク駆動部４０と、音声増幅部３０およびミックス回路部７０を結合することを特徴とする。本発明によれば、語学実習や歌の練習時に使用者の音声と、音響再生機器から流入する外部音とともに、エコーを聞くことができ、楽しく歌を練習することができ、語学練習時にエコー機能が追加されるので効率的に語学実習ができるという効果がある。  【選択図】      図４
2008539647.tif 000002
【特許請求の範囲】
【請求項１】
主電源スイッチ８０によって動作して、使用者の音声が入力されるマイク１を駆動するためのマイク駆動部４０と、
前記マイク駆動部４０の出力側に接続され、前記マイク１から入力される音を調節するマイクボリュームスイッチ４２と、
前記マイクボリュームスイッチ４２の出力側に接続され、前記マイク１から入力される音声信号を増幅するための音声ＩＣ ３１を備える入力音声増幅部３０と、
前記入力音声増幅部の出力側に接続される音響再生機器の入力プラグを介して入力される再生音を調節することができる音楽ボリュームスイッチ９０と、
前記入力プラグとスピーカとの間に接続される２個の抵抗（Ｒ２、Ｒ３）からなり、前記音響再生機器の再生音をスピーカ２にインピーダンスマッチングするように形成して、前記マイク１から入力された音声信号および前記音響再生機器の再生音を互いに異なる経路で前記スピーカ２へ出力させるための音声ミキサー部７０と、
前記主電源スイッチ８０の動作に従って電源部６１から供給される電流を増幅させる電源増幅部６０とで構成される通常の音響再生機器用リモコンにおいて、
エコーを発生させるために、入力された音声信号を増幅および循環させるエコーＩＣ ５１と、エコーボリュームスイッチ５２で構成されるエコー回路部５０をさらに含み、前記エコー回路部５０は、前記マイク駆動部４０と音声増幅部３０、およびミックス回路部７０と結合されることを特徴とするエコー機能を有するリモコン。
【請求項２】
イヤホンまたはヘッドセットに内蔵される構造で使用されることを特徴とする請求項１に記載のエコー機能を有するリモコン。
【請求項３】
中大型ヘッドセットのヘッドセット内部に装着して使用されることを特徴とする請求項１に記載のエコー機能を有するリモコン。
【請求項４】
ＣＤプレーヤー、ＭＰ３、携帯電話、ＤＭＢのいずれか一つの内部に装着して使用されることを特徴とする請求項１に記載のエコー機能を具備したリモコン。
【発明の詳細な説明】
【技術分野】
【０００１】
本発明は、エコー機能を有するリモコンに関するものである。より詳細には、音響再生機器用リモコン装置にエコー機能を追加して、使用者の音声と、音響再生機器に流入する外部の音を聞くとともに、エコーを聞くことができるエコー機能を有するリモコン装置に関するものである。
【背景技術】
【０００２】
本発明で用いることができる“音響再生機器”としては、カセットレコーダー、ＭＰ３、ＣＤプレーヤー、携帯電話、ＰＤＡ、ＤＭＢなどがある。
【０００３】
本発明に関連する先行技術としては、韓国公開特許第００９２１２１号（公開日:２００１年１０月２４日）「音響再生機器用有線リモコン装置」によれば、マイクを介して使用者の音声と音響再生機器から流入する外部の音がイヤホンのスピーカへ選択的に出力され、語学実習および歌の練習の機能を有するようにした音響再生機器用有線リモコン装置を開示する。
【０００４】
図１は、韓国特許第０３４６３１４号の音響再生機用イヤホンの斜視図であり、図２は、図１の電気回路図である。
【０００５】
図１に示すように、音響再生機用イアホンは、マイク１とスピーカ２を有するイヤホン３と、リモコン５と、カセットレコーダーを含む音響再生機器１０と、前記リモコン５を連結する結合部８とで構成されている。符号１１は、音響再生機器１０に接続されるイヤホンおよびマイクの入力プラグを示し、符号１２は、音響再生機器１０を動作および調節するスイッチである。
【０００６】
前記リモコン５は、音響再生機器１０の動作を制御し、音響再生機器１０に入力される音を調節して音響再生機器１０の再生音と、マイク１から入力される使用者の音声との間の干渉を防止する機能をする。
【０００７】
このためにリモコン５の内部は、図２に示すように、マイク１を駆動するためのマイク駆動部２０の出力側にマイク１で可変抵抗（ＶＲ）からなり、マイク１に入力される音を調節するマイクボリュームスイッチ６が連結されている。
【０００８】
前記マイクボリュームスイッチ６の出力側には、マイク１から入力される音声信号を増幅するための音声チップ（ＩＣ）からなる音声入力増幅部２３が連結される。音声入力増幅部２３の出力側には、マイク１を介して入力された使用者の音声および音響再生機器１０とリモコン５を連結するための入力プラグ９から入力される音響再生機器１０の再生音を選択的に出力するための出力選択スイッチ２５が接続される。
【０００９】
また、音響再生機器１０とリモコン５を連結するための入力プラグ９とスピーカ２との間には、音の干渉を無くすために音響再生機器１０の再生音を接地に連結し、スピーカ２のインピーダンスマッチング用抵抗（Ｒ２、Ｒ３）で構成されマイク１を介した使用者の音声および音響再生機器１０の再生音を互いに異なる経路でスピーカ２に出力させる音声ミキサー部２４が連結されている。
【００１０】
出力選択スイッチ２５の動作に従ってスピーカ２に電源を供給するための電源部２６が形成される。
【００１１】
従来の技術は、使用者が音響再生機器から出力される音をそのまま聞きながら語学実習をしたり、歌の練習をすることを特徴とする。しかし、使用者が聞く音にエコー（ｅｃｈｏ）機能がないため、効果的な音響効果が得られないという短所がある。
【特許文献１】韓国公開特許第００９２１２１号
【特許文献２】韓国公開特許第０３４６３１４号
【発明の開示】
【発明が解決しようとする課題】
【００１２】
そこで、本発明は上記従来の問題点に鑑みてなされたものであって、本発明の目的は、語学実習時、あるいは歌の練習時に使用者の音声と音響再生機器から流入する外部音を聞くとともに、エコーを聞くことができるエコー機能を有するリモコンを提供することである。
【課題を解決するための手段】
【００１３】
上記目的を達成するためになされた本発明の構成は、主電源スイッチによって動作して、使用者の音声が入力されるマイクを駆動するためのマイク駆動部と；前記マイク駆動部の出力側に接続され、前記マイクから入力される音を調節するマイクボリュームスイッチと；前記マイクボリュームスイッチの出力側に接続され、前記マイクから入力される音声信号を増幅するための音声ＩＣを備える入力音声増幅部と；前記入力音声増幅部の出力側に接続される音響再生機器の入力プラグを介して入力される再生音を調節することができる音楽ボリュームスイッチと；前記入力プラグとスピーカとの間に接続された２個の抵抗からなり、前記音響再生機器の再生音をスピーカにインピーダンスマッチングするように形成して、前記マイクから入力された音声信号および前記音響再生機器の再生音を互いに異なる経路で前記スピーカへ出力するための音声ミキサー部と；前記主電源スイッチの動作に従って電源部から供給される電流を増幅させる電源増幅部とで構成される通常の音響再生機器用リモコンにおいて、エコーを発生させるため、入力された音声信号を増幅および循環させるエコーＩＣと、エコーボリュームスイッチで構成されるエコー回路部をさらに含み、前記エコー回路部は、前記マイク駆動部と音声増幅部およびミックス回路部と結合されることを特徴とする。
【００１４】
本発明を利用発明として実施することができる。すなわち、イヤホン（ear set）、ヘッドセット（head set）に内蔵して構成することができ、このとき、イヤホンやヘッドセットに連結されたリモコンに内蔵して構成することができ、中大型ヘッドセットのヘッドセット内部に内蔵して構成することもできる。
【００１５】
また、ＭＰ３、携帯電話、ＰＤＡ、およびその他の音響機器の内部に装着して用いることが好ましい。
【発明の効果】
【００１６】
本発明によれば、語学実習または歌の練習時に使用者の音声と、音響再生機器から流入する外部音を聞くとともに、エコーを聞くことができるので、時間と場所に関係なく個人のカラオケのように楽しく歌を歌うことができ、語学実習時にはエコー機能を追加して効果的に語学実習を行うことができるという効果がある。
【００１７】
また、エコーを追加した状態でポップソングを聞きながら歌うと、楽しくポップソングを歌うことができ、さらに、ネーティブスピーカーの発音を練習できるという効果がある。
【発明を実施するための最良の形態】
【００１８】
以下、添付した図面を参照して本発明の好ましい実施例を詳細に説明する。
【００１９】
図３は、本発明のエコー機能を有するリモコンの斜視図であり、図４は、本発明の一実施例による電気回路図である。
【００２０】
従来の音響再生機用イヤホンは、図１に示すように、マイク１とスピーカ２を含むイヤホン３と、カセットレコーダーのような音響再生機器１０と、音響再生機器１０の動作を制御し、音響再生機器１０に入力される音を調節して音響再生機器１０の再生音とマイク１から入力される使用者の音声との間の干渉を防止するリモコン５と、前記リモコン５と音響再生機器１０とを連結する結合部８と、前記音響再生機器１０に接続されるイヤホンおよびマイクの入力プラグ１１と、前記音響再生機器のボリュームなどを調節する調節スイッチ１２とで構成される。
【００２１】
本発明のリモコン５５は、従来の音響再生機器１０にエコー機能を追加したもので、図３に示すように、前記リモコン５にマイク１のボリュームを調節するマイクボリュームスイッチ４２と、エコーのボリュームを調節するエコーボリュームスイッチ５２と、主電源スイッチ８０と、音楽のボリュームを調節する音楽ボリュームスイッチ９０をさらに具備するリモコン装置である。
【００２２】
歌を練習する場合は、使用者の音声と、ＭＰ３、携帯電話などのような音響再生機器１０から流入する外部音（音楽）がリモコン５５に入力され、使用者が主電源スイッチ８０をオンにすると、マイク１とエコー機能が動作する。電源をオンにしない場合はイヤホン機能のみを使用することができる。このとき、エコーボリュームスイッチ５２を動作させると、図４のエコー回路部５０が動作してエコーがリモコン５５に入力される。
【００２３】
このとき、使用者がエコーボリュームスイッチ５２と、音楽ボリュームスイッチ９０を調節して望む大きさの音を聞くことができる。使用者がヘッドフォンやイヤホンを使って歌を歌う場合は、マイクボリュームスイッチ４２と、音楽ボリュームスイッチ９０をそれぞれ適切に調節して望むエコーと音楽を聞きながら歌を歌うことができる。
【００２４】
語学実習をする場合は、カセットレコードのような音響再生機器１０から流入する外部音（外国語）がリモコン５５に入力され、使用者がこれをなぞる音声を聞くことができる。
【００２５】
使用者が主電源スイッチ８０をオンにすると、図４のマイク１とエコー回路部５０が動作してエコーがリモコン５５に入力される。このとき、使用者がエコーボリュームスイッチ５２と、マイクボリュームスイッチ４２を調節すれば、望む大きさのエコーを聞きながら語学を習うことができる。特に、ポップソングを聞きながらポップソングを歌うだけでネーティブスピーカーの発音を練習することができるのでより効果的な語学学習が可能になる。
【００２６】
語学実習時に使用者が主にヘッドホンや、イヤホンを耳に差し込んで使用するので、本発明のリモコン５５は、図３のように、イヤホン３と結合部８との間に装着されることが好ましい。
【００２７】
図４は、本発明の一実施例による電気回路図である。図４に示すように、本発明を構成するための電気回路は、図２の音響再生機器用の有線リモコン装置の回路にエコーを発生させる機能を有するエコー回路部５０がマイク駆動部４０と、音声増幅部３０と、スピーカ２、およびミックス回路部７０と結合され、エコーされた使用者の音声と外部音響機器の音が同時に出力されることを特徴とする。
【００２８】
従来の音響再生機器用の有線リモコン装置の電気回路は、図２のように、使用者の音声が入力されるマイク１を駆動するためのマイク駆動部２０と；前記マイク駆動部２０の出力側に接続され前記マイク１から入力される音を調節するマイクボリュームスイッチ６と；前記マイクボリュームスイッチ６の出力側に接続されて前記マイク１から入力される音声信号を増幅するための音声ＩＣで構成される入力音声増幅部２３と；前記入力音声増幅部２３の出力側に接続されマイク１から入力された使用者の音声および入力プラグ１１を介して入力される音響再生機器の再生音を選択的に出力するための出力選択スイッチ２５と；前記入力プラグ１１とスピーカ２との間に接続された２個の抵抗（Ｒ２、Ｒ３）からなり、前記音響再生機器の再生音をスピーカ２にインピーダンスマッチングするように形成して、前記マイク１を介して入力された音声信号および前記音響再生機器の再生音を互いに異なる経路で前記スピーカ２に出力させるための音声ミキサー部２４と、前記出力選択スイッチ２５の動作に従って前記電源増幅部２３に電源を供給するための電源部２６とで構成される。
【００２９】
本発明のリモコン５５の電気回路は、図４に示すように、使用者の音声が同時に入力されるマイク１を駆動するためのマイク駆動部４０と；前記マイク駆動部４０の出力側に接続されて前記マイク１から入力される音を調節するマイクボリュームスイッチ４２と；前記マイクボリュームスイッチ４２の出力側に接続されて前記マイク１から入力される音声信号を増幅するための音声ＩＣ ３１を備える入力音声増幅部３０と；前記入力音声増幅部３０の出力側に接続されマイク１から入力された使用者の音声および入力プラグ１１を介して入力される音響再生機器の再生音を選択的に出力するための主電源スイッチ８０と；前記入力プラグ１１とスピーカ２との間に接続された２個の抵抗（Ｒ２、Ｒ３）からなり、前記音響再生機器の再生音をスピーカ２にインピーダンスがマッチングするように形成して、前記マイク１から入力された音声信号および前記音響再生機器の再生音を互いに異なる経路で前記スピーカ２に出力するための音声ミキサー部７０と、前記主電源スイッチ８０の動作に従って電源増幅部６０に電源を供給するための電源部６１が前記電源増幅部６０に装着され、エコーを発生させるために入力された音声信号のうち約８０％を増幅させ、残りの２０％の音声信号をフィードーバックおよびデジタル信号に変換するエコーＩＣ ５１と、エコーボリュームスイッチ５２を含むエコー回路部５０をさらに具備し、前記エコー回路部５０は、マイク駆動部４０と接続される。また、符号１はハンズフリーマイクであって、モバイル機器により動作し、エコー音を使用しないとき使われる。
【００３０】
ここで、電源増幅部６０の内部に装着された電源部６１は１．５Ｖのバッテリーであり、このバッテリーから発生する１．５Ｖの電流が電源増幅部６０により５Ｖに増幅される。
【００３１】
前記主電源スイッチ８０はスイッチ８１をさらに１個備えているが、このスイッチ８１は、モバイル機器を使用するとき、受信者に使用者のエコー音を伝達することができるスイッチであり、前記主電源スイッチ８０とスイッチ８１は同時に動作する。
【００３２】
前記エコー回路部５０内に装着されたエコーＩＣ ５１は、入力された音声信号を増幅および循環させながらデジタル信号に変換させることで、エコー音を自動的に発生させることができる。
【００３３】
以下、本発明の作用について説明する。
【００３４】
まず、図３に示すように、リモコン５５の主電源スイッチ８０を使用しない場合はイヤホン機能のみを使用することができ、主電源スイッチ８０を動作させると、マイク１を介して使用者の音声が入力されて、スピーカ２を通じて使用者が自分の音声を聞くことができ、モバイル機器を使用する場合は、使用者のエコー音声が相手のモバイル機器に伝達される。
【００３５】
さらに、使用者が音楽を聞きながら歌を練習する場合は、主電源スイッチ８０を動作させた状態でマイクボリュームスイッチ４２を適切に調節して自分の音声のボリュームを調節し、音楽ボリュームスイッチ９０を調節して望むボリュームで音楽を聞きながら、エコーボリュームスイッチ５２を調節して望むボリュームで歌を歌うことができ、エコーを効かせた自分の音声を楽しむことができる。
【００３６】
一方、図４に示すように、エコーボリュームスイッチ５２が動作する状態で、使用者の音声によりマイク１から音声信号が発生すれば、この発生した音声信号は、入力部（Ｃ３、Ｒ１１）を介して音の高さが規格化され、音声調節部（Ｒ４、Ｒ４、Ｃ１６）を介して原音に近くなるよう音の大きさ、質、長さが調節されるように、音声信号のうち８０％はエコーＩＣ ５１で増幅され、残りの２０％は循環されて再びエコーＩＣ ５１にフィードバックされると同時にデジタル信号に変換される。
【００３７】
このように変換されたデジタル信号は、抵抗Ｒ７により音の大きさおよびフィードーバックが調節され、可変抵抗５２により再びエコーＩＣ ５１に再入力されてエコー音が発生するようになる。このように発生したエコー音は、音声増幅回路３０に伝達されて外部に出力し得る大きさの音に増幅された後、スピーカ２を通じて出力される。
【００３８】
このとき、増幅された音はミックス回路７０によりエコー音と音響機器音がスピーカ２を通じて同時に出力されるようになる。
【００３９】
以上、本発明の好ましい実施形態について詳細に説明したが、本発明の権利範囲はこれに限定されず、請求の範囲で定義している本発明の基本概念を利用した当業者の多様な変形および改良形態も本発明の権利範囲に属するものである。
【図面の簡単な説明】
【００４０】
【図１】従来の音響再生機用イヤホンの斜視図。
【図２】図１の一実施例による電気回路図。
【図３】本発明のエコー機能を有するリモコン斜視図。
【図４】本発明の一実施例による電気回路図。
【符号の説明】
【００４１】
１…マイク
１'…ハンズフリーマイク
２…スピーカ
３…イヤホン
５、５５…リモコン
１０…音響再生機器
２０、４０…マイク駆動部
２３、３０…入力音声増幅部
２４、７０…音声ミキサー部
２５…出力選択スイッチ
２６…電源部
４２…マイクボリュームスイッチ
５０…エコー回路部
５２…エコーボリューム調節スイッチ
６０…電源増幅部
８０…主電源スイッチ
【図１】
2008539647.tif 000003
【図２】
2008539647.tif 000004
【図３】
2008539647.tif 000005
【図４】
2008539647.tif 000006
【国際調査報告】
2008539647.tif 000007
2008539647.tif 000008
2008539647.tif 000009